(57)【特許請求の範囲】
【請求項１】
無線通信において使用される、ネットワーク間ハンドオーバの方法であって、
第１のネットワークにアタッチされているワイヤレス送受信ユニット（ＷＴＲＵ）からモバイルＩＰ（ＭＩＰ）事前登録を開始するための第１のメッセージを中間ノードが受信することであって、前記第１のメッセージは前記ＷＴＲＵの位置の指示及びターゲットネットワークの指示を含む、ことと、
事前登録メッセージをホームエージェント（ＨＡ）へ前記中間ノードが送信することであって、前記事前登録メッセージは前記ＷＴＲＵについての前記第１のネットワークおよび前記ターゲットネットワークにおける同時ＭＩＰバインディングを示す、ことと、
前記事前登録メッセージに応答して、前記ＨＡから事前登録完了メッセージを前記中間ノードが受信することと
を含むことを特徴とする方法。
【請求項２】
前記事前登録完了メッセージに応答して、ハンドオーバ要求メッセージを、前記中間ノードが前記ＷＴＲＵに送信することさらに含むことを特徴とする請求項１に記載の方法。
【請求項３】
前記第１のネットワークは、第３世代パートナーシッププロジェクト（３ＧＰＰ）ネットワーク、ＷｉＭＡＸ（Worldwide Interoperability for Microwave Access）ネットワーク、ワイヤレスローカルエリアネットワーク（ＷＬＡＮ）、ＧＳＭ（Global System for Mobile communications）ネットワーク、符号分割多元接続（ＣＤＭＡ２０００）ネットワーク、ＵＭＴＳ（Universal Mobile Telecommunications System）ネットワーク、またはＬＴＥ（Long Term Evolution）ネットワークであることを特徴とする請求項１に記載の方法。
【請求項４】
前記ターゲットネットワークは、第３世代パートナーシッププロジェクト（３ＧＰＰ）ネットワーク、ＷｉＭＡＸ（Worldwide Interoperability for Microwave Access）ネットワーク、ワイヤレスローカルエリアネットワーク（ＷＬＡＮ）、ＧＳＭ（Global System for Mobile communications）ネットワーク、符号分割多元接続（ＣＤＭＡ２０００）ネットワーク、ＵＭＴＳ（Universal Mobile Telecommunications System）ネットワーク、またはＬＴＥ（Long Term Evolution）ネットワークであることを特徴とする請求項１に記載の方法。
【請求項５】
中間ノードであって、
第１のネットワークにアタッチされているワイヤレス送受信ユニット（ＷＴＲＵ）からモバイルＩＰ（ＭＩＰ）事前登録を開始するための第１のメッセージであり前記ＷＴＲＵの指示及びターゲットネットワークの指示を含む第１のメッセージを受信するように構成された受信機と、
前記ＷＴＲＵについての前記第１のネットワークおよび前記ターゲットネットワークにおける同時ＭＩＰバインディングを示す事前登録メッセージをホームエージェント（ＨＡ）へ送信するように構成された送信機と
を備え、
前記受信機が、前記事前登録メッセージに応答して、前記ＨＡから事前登録完了メッセージを受信するようにさらに構成されたことを特徴とする中間ノード。
【請求項６】
前記送信機が、前記事前登録完了メッセージに応答して、ハンドオーバ要求メッセージを、前記ＷＴＲＵに送信するようにさらに構成されたことを特徴とする請求項５に記載の中間ノード。
【請求項７】
前記第１のネットワークは、第３世代パートナーシッププロジェクト（３ＧＰＰ）ネットワーク、ＷｉＭＡＸ（Worldwide Interoperability for Microwave Access）ネットワーク、ワイヤレスローカルエリアネットワーク（ＷＬＡＮ）、ＧＳＭ（Global System for Mobile communications）ネットワーク、符号分割多元接続（ＣＤＭＡ２０００）ネットワーク、ＵＭＴＳ（Universal Mobile Telecommunications System）ネットワーク、またはＬＴＥ（Long Term Evolution）ネットワークであることを特徴とする請求項５に記載の中間ノード。
【請求項８】
前記ターゲットネットワークは、第３世代パートナーシッププロジェクト（３ＧＰＰ）ネットワーク、ＷｉＭＡＸ（Worldwide Interoperability for Microwave Access）ネットワーク、ワイヤレスローカルエリアネットワーク（ＷＬＡＮ）、ＧＳＭ（Global System for Mobile communications）ネットワーク、符号分割多元接続（ＣＤＭＡ２０００）ネットワーク、ＵＭＴＳ（Universal Mobile Telecommunications System）ネットワーク、またはＬＴＥ（Long Term Evolution）ネットワークであることを特徴とする請求項５に記載の中間ノード。
【発明の詳細な説明】
【技術分野】
【０００１】
本開示は、ワイヤレス通信に関する。
【背景技術】
【０００２】
通常の無線アクセス技術は、ネットワーク発見および選択（ＮＷＤＳ）を制御するための機構を定義する場合があった。しかし、いくつかの異なる無線アクセス技術が無線送受信ユニット（ＷＴＲＵ）に利用可能である、ヘテロジニアスネットワーク環境の場合の機構は、ほとんど定義されてこなかった。代わりに、ネットワーク発見および選択への対処は通常、ＷＴＲＵ、およびＷＴＲＵのユーザに任されてきた。
【０００３】
例えば、媒体独立ハンドオーバ（ＭＩＨ）サービスは、電気電子技術者協会（ＩＥＥＥ）によって８０２ファミリの標準の中で策定された標準である。このＭＩＨ標準（ＩＥＥＥ８０２．２１）は、有線とワイヤレスの両方のヘテロジニアスアクセスネットワーク間のハンドオーバを最適化するアクセス独立機構を指定する。８０２ネットワークと非８０２ネットワークとの間のハンドオーバにＭＩＨ機構を使用することができる。
【０００４】
ＭＩＨクライアントの目的は、異なる技術間、例えばＷｉＢｒｏ（Wireless Broadband）とＵＭＴＳ（Universal Mobile Telecommunications System）との間におけるハンドオーバの、効率的なソフトウェア実装を可能にすることとすることができる。ＭＩＨクライアントのさらなる目的は、以下のいずれかを可能にすることを含むことができる。すなわち、レイヤ２とレイヤ３の両方における自動技術間移動性、ハンドオーバ中断時間の短縮、および複数の技術にわたるサービス品質（ＱｏＳ）最適化の提供である。
【０００５】
図１に、ハンドオーバ１００を制御するように構成された、ＭＩＨサーバなどの中間ノードを示す。図１に示すようにハンドオーバ手順によれば、ＷＴＲＵ１０５ならびにモバイルインターネットプロトコル（ＭＩＰ）登録によってハンドオーバを補助することができる。図１に示すように、ＷＴＲＵ１０５において、ＭＩＨクライアント１１０およびＭＩＰクライアント１１１を提供することができる。ＷＴＲＵ１０５に関するバインディングエントリ１２５もまた、ホームエージェント（ＨＡ）１３０などのソースノードに存在することができる。ＨＡは、ＷＴＲＵがホームから離れているときに、ＷＴＲＵに送達するためのデータをトンネリングすることのできる、ＷＴＲＵのホームネットワーク上にあるルータまたは任意の他のタイプのデバイスとすることができる。ＨＡは、ＩＰアドレスなど、ＷＴＲＵに関する現在位置を維持することができる。フォーリンエージェント（ＦＡ）など、１つまたは複数のターゲットノードと共にＨＡを使用することができる。ＦＡは、そのネットワークにアクセスするＷＴＲＵに関する情報を記憶する、ルータまたは任意の他のタイプのデバイスとすることができる。ＦＡはまた、ＭＩＰによって使用できる気付アドレス（ＣｏＡ、care-of-address）を公示することもできる。ＷＴＲＵのＣｏＡは、フォーリンネットワーク中で動作しているときのデバイスの物理ＩＰアドレスとすることができる。
【０００６】
リンク品質が劣化すると（１３５）、ＭＩＨクライアントは、LinkGoingDown（低信頼度）メッセージ１３６をＭＩＨサーバ１３７に通信することができる。ＭＩＨクライアント１１０はまた、測定報告１３８およびLinkGoingDown（高信頼度）メッセージ１３９をＭＩＨサーバ１３７に通信することができる。次いでＭＩＨサーバ１３７は、ハンドオーバを開始することを決定することができる（１４０）。ＭＩＨサーバ１３７は、handover requestメッセージ１４１をＭＩＨクライアント１１０に通信することができる。
【０００７】
次いでＷＴＲＵ１０５は、ネットワークＡ上におけるその現在のリンクをダウンさせることができ（１４２）、その結果、接続性が中断される。ＷＴＲＵ１０５は、ネットワークＢ上でレイヤ２接続性の確立を開始することができる（１４３）。ＷＴＲＵ１０５は、ＭＩＰ登録をトリガすることができる（１４４）。ＭＩＰクライアント１１１は、ネットワークＢ中のＦＡ１２０などのターゲットノードに、Router Solicitationメッセージ１４５を送信することができる。ＦＡ１２０は、Agent Advertisement（ＣｏＡのリスト）メッセージ１４６によって応答することができる。ＭＩＰクライアント１１１は、ＭＩＰ Register（ＷＴＲＵ＋ＣｏＡ）メッセージ１４７をＦＡ１２０に送ることができる。次いでＦＡ１２０は、ＭＩＰ Register（ＷＴＲＵ＋ＣｏＡ）メッセージ１４８をＨＡ１３０に送ることができる。次いでＨＡ１３０は、そのバインディングエントリ１２５を新しいＣｏＡにより更新することができる（図示せず）。
【０００８】
ＨＡ１３０がそのバインディングエントリ１２５を更新した後、レイヤ３接続性を再開することができる。ＨＡ１３０は、ＭＩＰ Register Responseメッセージ１５０をＦＡ１２０に送信することができる。ＦＡ１２０は、ＭＩＰ Register Responseメッセージ１５５をＭＩＰクライアント１１１に送信することができる。次いでＭＩＨクライアント１１０は、Handover Completedメッセージ１６０をＭＩＨサーバ１３７に送ることができる。次いでＨＡ１３０は、新しいＣｏＡを使用して、対応するピアからのデータをＷＴＲＵ１０５に転送することができる（１６５）。
【０００９】
ＭＩＨハンドオーバのための通常のブレークビフォアメーク（ＢＢＭ、break-before-make）手法では、ターゲットネットワーク上で新しい接続が確立される前に、現在のリンクが解体される。この手法によれば、一度に１つの送信機しか使用可にすることができない。メークビフォアブレーク（ＭＢＢ、make-before-break）手法を使用すると、現在の接続を終了する前に、ターゲットネットワーク上で新しい接続を確立することができる。この手法によれば、２又はそれより多い送信機を同時に有効にすることができる。しかし、現在のＭＢＢ手法の欠点として、単一のデバイス中で２つ以上の送信機が同時に有効にされたときに、電力消費および無線干渉の問題が含まれる場合がある。
【００１０】
通常のＢＢＭ手法では、現在の接続が解体されてから新しい接続が新しいネットワーク上で確立されるまでに、中断期間が発生することがある。これは、中断期間の間にデータ損失を生じるという望ましくない影響を有する場合がある。中断期間は、一様な長さではないことがある。接続性が再開されるまでに、多くのステップが実施されることがある。例えば、あるステップは、ターゲットネットワーク上でレイヤ２接続性を取得することとすることができる。レイヤ２接続性の取得は、ターゲットネットワーク上で使用される技術に依存する場合がある。例えば、ＵＭＴＳターゲットネットワークに接続するときは、ＷＴＲＵは、セルにキャンプし、ネットワークに帰属し、パケットデータプロトコル（ＰＤＰ）コンテキストをアクティブ化することができる。第２のステップは、ホームエージェント（ＨＡ）との、ＭＩＰ登録／ＣｏＡ割振り／ＦＡ発見を更新することとすることができる。これは、Router Solicitationメッセージを送り、Agent Advertisementを待機し、ＭＩＰ登録要求をＨＡに送ることを含むことができる。
【発明の概要】
【００１１】
関連出願の相互参照
本出願は、参照により本明細書に組み込まれる２００８年１０月３０日出願の米国特許仮出願第６１／１０９，６１６号明細書および２００９年８月７日出願の米国特許仮出願第６１／２３２，２１７号明細書の利益を主張する。
【００１２】
方法および装置を使用すると、媒体独立ハンドオーバを実施することができる。ＷＴＲＵにサービスするソースネットワーク中のソースノードから、中間ノードを介してデータを受信することができる。ＷＴＲＵは、第１のメッセージを中間ノードに送信し、これに応答して第２のメッセージを受信することができる。ＷＴＲＵは、ターゲットネットワーク上で接続性を確立し、ターゲットノードからデータを受信することができる。
【００１３】
ＷＴＲＵは、ＷＴＲＵにサービスするソースネットワーク中のソースノードからデータを受信することができる。ＷＴＲＵは、第１のメッセージを中間ノードに送信することができ、第１のメッセージは、ＷＴＲＵの位置の指示とターゲットネットワークの指示とを含む。これに応答して、ＷＴＲＵは、第２のメッセージを中間ノードから受信することができ、第２のメッセージは、ターゲットノードのインターネットプロトコル（ＩＰ）アドレスの指示を含む。次いでＷＴＲＵは、ターゲットネットワーク上で接続性を確立し、ターゲットノードからデータを受信することができる。
【００１４】
ターゲットノードが、第１のメッセージをソースノードから受信して、第２のメッセージをソースノードに送信することができる。ターゲットノードはまた、登録されることになるＷＴＲＵを示す第３のメッセージをソースノードから受信し、第４のメッセージをソースノードに送信した後でＷＴＲＵにデータを転送することができる。
【００１５】
中間ノードが、第１のメッセージをソースノードに送信することができ、第１のメッセージは、ＷＴＲＵに関する二重ＭＩＰバインディングを示す。これに応答して、中間ノードは、第２のメッセージをソースノードから受信することができる。中間ノードは、ＷＴＲＵのハンドオーバを開始する決定を実施し、Handover Requestを送信することができる。
【図面の簡単な説明】
【００１６】
添付の図面と共に例として提供する以下の記述から、より詳細な理解を得ることができる。
【図１】媒体独立ハンドオーバ（ＭＩＨ）に基づくハンドオーバの通常の方法の図である。
【図２Ａ】媒体独立情報サービス（ＭＩＩＳ）の使用を含むことのできる、ＭＩＨに基づくハンドオーバの例示的な方法の図である。
【図２Ｂ】媒体独立情報サービス（ＭＩＩＳ）の使用を含むことのできる、ＭＩＨに基づくハンドオーバの例示的な方法の図である。
【図３Ａ】媒体独立情報サービス（ＭＩＩＳ）の使用を含まなくてよい、ＭＩＨに基づくハンドオーバの例示的な方法の図である。
【図３Ｂ】媒体独立情報サービス（ＭＩＩＳ）の使用を含まなくてよい、ＭＩＨに基づくハンドオーバの例示的な方法の図である。
【図４Ａ】プロキシモバイルインターネットプロトコル（ＰＭＩＰ）の使用を含むことのできる、ＭＩＨに基づくハンドオーバの例示的な方法の図である。
【図４Ｂ】プロキシモバイルインターネットプロトコル（ＰＭＩＰ）の使用を含むことのできる、ＭＩＨに基づくハンドオーバの例示的な方法の図である。
【図５Ａ】ＭＩＰ事前登録をＭＩＨクライアントによって実施することができる場合の、ＭＩＨハンドオーバの例示的な方法の図である。
【図５Ｂ】ＭＩＰ事前登録をＭＩＨクライアントによって実施することができる場合の、ＭＩＨハンドオーバの例示的な方法の図である。
【図６Ａ】ＰＭＩＰをＭＩＨクライアントによってトリガすることができる場合の、ＭＩＨハンドオーバの例示的な方法の図である。
【図６Ｂ】ＰＭＩＰをＭＩＨクライアントによってトリガすることができる場合の、ＭＩＨハンドオーバの例示的な方法の図である。
【図７】ＭＩＨサーバがＡｇｅｎｔ  Ｓｏｌｉｃｉｔａｔｉｏｎメッセージを送ることができる場合の、例示的な方法の図である。
【図８】ワイヤレス通信システム／アクセスネットワークを示す図である。
【図９】図８のワイヤレス通信システム／アクセスネットワークの例示的なブロック図である。
【発明を実施するための形態】
【００１７】
本明細書において、用語「ワイヤレス送受信ユニット（ＷＴＲＵ）」は、ユーザ機器（ＵＥ）、移動局、固定もしくは移動加入者ユニット、ページャ、セルラー電話機、パーソナルディジタルアシスタント（ＰＤＡ）、コンピュータ、または、ワイヤレス環境で動作する能力のある任意の他のタイプのユーザデバイスを含むが、これらに限定されない。本明細書において、用語「基地局」は、ノードＢ、サイトコントローラ、アクセスポイント（ＡＰ）、または、ワイヤレス環境で動作する能力のある任意の他のタイプのインタフェーシングデバイスを含むが、これらに限定されない。本明細書に述べる実施形態を、ＭＩＰ、高速モバイルＩＰ（ＦＭＩＰ）、階層型モバイルＩＰ（ＨＭＩＰ）、および他の移動性技術を使用して動作するように構成することができる。
【００１８】
説明の目的で、様々な実施形態を８０２．ｘｘコンテキストで述べるが、これらの様々な実施形態を、ネットワーク間ハンドオーバをサポートする任意のハンドオーバ技術を使用して実装することができる。例えば、第３世代パートナーシッププロジェクト（３ＧＰＰ）シナリオでは、アクセスネットワーク発見および選択機能（ＡＮＤＳＦ）を使用して、ＷＴＲＵがヘテロジニアスアクセスネットワークを発見および選択するのを補助することができる。ＡＮＤＳＦを、３ＧＰＰネットワークと非３ＧＰＰネットワークとのインターネットワーキングに使用することができる。他のタイプのハンドオーバ技術を、任意のタイプのネットワーク、例えばＷｉＭＡＸ（商標：Worldwide Interoperability for Microwave Access）、ワイヤレスローカルエリアネットワーク（ＷＬＡＮ）、ＧＳＭ（Global System for Mobile communications）、符号分割多元接続（ＣＤＭＡ２０００）、ＵＭＴＳ（Universal Mobile Telecommunications System）、ＬＴＥ（Long Term Evolution）、または任意の将来の技術に適用することもできる。
【００１９】
ワイヤレスネットワークは、技術間ハンドオーバサーバを含むことができ、例えば、ＭＩＨサーバ、ＡＮＤＳＦサーバ、または、どのネットワークにアクセスするかをＷＴＲＵが発見および決定するのを補助するのに使用できる任意の他のデバイスもしくは中間ノードとして含むことができる。これらのタイプのデバイスを使用すると、単独でまたは他の機能と共に、複数のアクセスポイント間および複数のアクセス技術間におけるセッションのハンドオーバに関する決定を集中化することができる。このようなデバイスにより、ワイヤレスネットワークオペレータは、トラフィック負荷の平衡をとって、特定のアクセスポイント上の混雑を緩和することができ、全てのユーザに十分なＱｏＳを送達することができる。
【００２０】
８０２．ｘｘシナリオでは、例えば、ＭＩＨサーバは、ＭＩＨクライアントと、およびＨＡなどのソースノードと通信することができる。ＭＩＨサーバとＨＡとは、同じ場所に位置することができ、あるいは相互に通信することができる。ＭＩＨサーバは、媒体独立情報サービス（ＭＩＩＳ）などの中間ノードと通信することができる。ＭＩＨサーバとＭＩＩＳとは、同じ場所に位置することができる。ＭＩＩＳは、ターゲットネットワークへのＷＴＲＵのハンドオーバが完了した後でＷＴＲＵからターゲットネットワーク中のどのＦＡに到達可能かを決定できるものとすることができる。ＨＡは、ＷＴＲＵの代わりにＭＩＰ登録をＦＡに送れるものとすることができる。ＷＴＲＵは、ＭＩＰクライアントを含むことができる。ＭＩＰクライアントは、ハンドオーバ中にターゲットネットワークに接続するときにＷＴＲＵによって使用することができる。ターゲットネットワークおよび／または現在のＷＴＲＵの位置に基づいて、ＦＡ  ＩＰアドレスを得ることができる。
【００２１】
方法および装置を使用すると、現在のリンクを解体する前にターゲットネットワーク上でＭＩＰ事前登録を実施することによって、ＢＢＭハンドオーバから生じる中断期間を短縮することができる。事前登録を実施するために、ＭＩＩＳおよびＨＡは、ターゲットＦＡの気付アドレス（ＣｏＡ）を得て、ＣｏＡをＷＴＲＵに伝達することができる。ターゲットＦＡのＣｏＡを、ソースネットワーク（ネットワークＡ）上での接続を終了する前に得ることができる。ターゲットネットワーク（ネットワークＢ）についてのＭＩＰバインディングエントリを、ターゲットＣｏＡを使用して同時バインディングのためにＨＡ上で追加することができ、また、ネットワークＡ上での接続を終了する前にターゲットＦＡ上で作成する（ＭＩＰ事前登録）ことができる。
【００２２】
ＭＩＨサーバは、ＨＡとのＭＩＰ事前登録を開始することができ、ＨＡは、ＷＴＲＵに代わってＭＩＰ事前登録をＦＡに送ることができる。現在のネットワーク上のプロキシモバイルインターネットプロトコル（ＰＭＩＰ）ノードが、ＷＴＲＵに代わってＭＩＰ事前登録をターゲットＦＡに送ることができる。ＷＴＲＵ上のＭＩＨクライアントは、現在のネットワークＡ上で依然として接続する間に、ターゲットＦＡに対してＭＩＰ事前登録をトリガすることができる。この結果、ＭＩＰバインディングは更新されているので、対応するノードからのデータは、レイヤ２接続性の確立時にＷＴＲＵに到達することができる。
【００２３】
図２Ａおよび２Ｂは、ハンドオーバの方法２００の図である。図２Ａに示すように、ＷＴＲＵ１０５は、ターゲットＭＩＰ  ＣｏＡの獲得を開始することができ、ＭＩＨサーバ２３７は、ＨＡ１３０およびターゲットＦＡ２１０とのＭＩＰ事前登録を開始することができる。
【００２４】
図２Ａに示すように、ＭＩＨクライアント１１０およびＭＩＰクライアント１１１は、ＷＴＲＵ１０５においてメモリユニット中またはプロセッサ中などに存在することができる。以下に詳述する例では、ＷＴＲＵ１０５に現在サービスを提供しているネットワークをネットワークＡと呼び、ターゲットネットワークをネットワークＢと呼ぶ。ＭＩＨサーバ２３７、ＭＩＩＳ２３８、およびＨＡ１３０は、ネットワークＡ上で通信しているものとすることができる。この例では、ＷＴＲＵ１０５をネットワークＡ上で登録することができ、ＭＩＰバインディングエントリ１１５、１２５が、ネットワークＡ上のＦＡ１２０上およびＨＡ１３０上で、ＷＴＲＵ１０５に関して存在することができる。
【００２５】
ＷＴＲＵ１０５は、そのリンク品質が劣化しつつあることを検出すると（１３５）、LinkGoingDown（低信頼度）メッセージ１３６および測定報告１３８をＭＩＨサーバ２３７に送信することができる。次いでＭＩＨクライアント１１０は、GetInformationReqメッセージ２１５をＭＩＩＳ２３８に送ることができる。GetInformationReqメッセージを送信するための他のトリガとしては、例えば、内部ポリシに基づくＭＩＨクライアントによる内部決定や、ＷＴＲＵ上で実行されるアプリケーションからのトリガなどを含むことができる。ＭＩＩＳ２３８は、ＭＩＨサーバ２３７と同じ場所に位置することができる。GetInformationReqメッセージ２１５中で、ＷＴＲＵの位置およびターゲットネットワークを指定することができる。ターゲットネットワークは、例えばＵＭＴＳネットワークとすることができる。ＭＩＩＳ２３８は、ターゲットＦＡ２１０のＣｏＡを取得するために、メッセージ２２０をＨＡ１３０に送信することができる。ＨＡ１３０は、ターゲットＦＡのＣｏＡを得るために、Agent Solicitationメッセージ２２５をターゲットＦＡ２１０に送ることができる。ターゲットＦＡ２１０は、ＦＡのＣｏＡを含むことのできるAgent Advertisementメッセージ２３０によって、ＨＡ１３０に応答することができる。ＨＡ１３０は、ＦＡのＣｏＡ２３５をＭＩＩＳ２３８に送信することができ、次いでＭＩＩＳ２３８は、ＦＡのＣｏＡを含むGetInformationRespメッセージ２４０を、ＭＩＨクライアント１１０に送信することができる。ＣｏＡは、ハンドオーバ中にＷＴＲＵの登録先となるターゲットアドレスとすることができる。ターゲットＣｏＡは、図７で述べるような代替方法を使用して得ることもできる。
【００２６】
ＭＩＨクライアント１１０は、リンク品質が悪いとき、LinkGoingDown（高信頼度）メッセージ１３９をＭＩＨサーバ２３７に送信することができる。ＭＩＨサーバ２３７は、ハンドオーバを開始することを決定することができる。ハンドオーバの前に、ＭＩＨサーバ２３７は、ターゲットＦＡ２１０とのＷＴＲＵ１０５の登録をトリガすることができ、ＨＡ１３０中に二重ＣｏＡエントリを生成することができる。
【００２７】
ＭＩＨサーバ２３７は、registration（二重／同時バインディング）メッセージ２４５をＨＡ１３０に送ることができる。ＨＡ１３０は、ネットワークＡについての第１のバインディングとネットワークＢについての第２のバインディングとの、２つのバインディングを含むようにＷＴＲＵバインディングエントリ１２５を更新することができる。ＨＡ１３０は、ＭＩＰ registrationメッセージ２５０をターゲットＦＡ２１０に送ることによって、ＷＴＲＵ１０５をネットワークＢ上で事前登録することができる。ＷＴＲＵ１０５に向けられたデータは、ＦＡ１２０と２１０の両方に転送することができる。ＷＴＲＵ１０５は依然としてネットワークＡに接続されていることができるので、ＷＴＲＵ１０５は、ＦＡ１２０から転送されるデータを受信し続けることができる。ＦＡ２１０は、ＷＴＲＵ１０５がＦＡ２１０とのレイヤ２接続性を確立するまで、パケットをバッファリングすることができる（２６７）。この例では、２つのＦＡ１２０と２１０の間にトンネルは必要ない。
【００２８】
ＦＡ２１０は、ＭＩＰ Rspメッセージ２５５を送ることによりＨＡ１３０に応答することができる。ＭＩＰ Rspメッセージ２５５は、新しいＣｏＡを含むことができる。ＨＡ１３０は、前のＣｏＡ（Ａ）を保持しながら、新しいＣｏＡ（Ｂ）をバインディングエントリに追加することができる。データをＨＡ１３０からネットワークＡ上のＦＡ１２０に、ならびにターゲットＦＡ２１０に転送することができる（２６０）。ＦＡ１２０、２１０は、このデータをＷＴＲＵ１０５に転送することができる。ネットワークＢから送られた複製されたデータは、失われるものとすることができる。ＨＡ１３０は、Registration Rspメッセージ２６５をＭＩＨサーバ２３７に送って、ＭＩＰ登録の完了を示すことができる。これに応答して、ＭＩＨサーバ２３７は、Handover Requestメッセージ１４１をＷＴＲＵ１０５に送ることができる。
【００２９】
ＷＴＲＵ１０５は、ネットワークＡ上におけるその現在のリンクをダウンさせ（２７０）、ネットワークＢに接続するためのモデムをオンにすることができる。ＷＴＲＵ１０５がネットワークＡ上におけるその現在のリンクをダウンさせたとき、接続性が中断するものとすることができる。次いでＷＴＲＵ１０５は、ネットワークＢ上でレイヤ２接続性を確立することができる（２７５）。ハンドオーバの開始前にＭＩＰ登録が実施されたので、レイヤ３接続性を再開することができる。ＦＡ２１０は、バッファリングしていたパケットをＷＴＲＵ１０５に転送し（２７７）、バッファリングを停止することができる。ＭＩＨクライアント１１０は、前に受信したＣｏＡを使用してＭＩＰ登録をトリガすることができる。ＭＩＨクライアント１１０は、ＭＩＰ Registerメッセージ２７９をネットワークＢ上のＦＡ２１０に送ることができる。ＭＩＰ Registerメッセージ２７９は、ホームＩＰアドレス、すなわちＨＡによってＷＴＲＵに割り当てられたＩＰアドレスと、ＣｏＡとを含むことができ、これらを共に（ＷＴＲＵ＋ＣｏＡ）と呼ぶ。ホームＩＰアドレスは、ＷＴＲＵが別のＦＡに移行したときも変わらないものとすることができる。ＣｏＡは、ＷＴＲＵが別のＦＡに移行したときに変わるものとすることができ、ＦＡによって割り振ることができる。ＦＡおよびＨＡにおけるバインディングエントリは、ＷＴＲＵホームアドレスおよび現在のＣｏＡを含むことができる。ネットワークＢ上のＦＡ２１０は、ＭＩＰ Registerメッセージ２８０をＨＡ１３０に送る。ＭＩＰ Registerメッセージ２８０は、（ＷＴＲＵ＋ＣｏＡ）を含むことができる。ＨＡ１３０は、重複バインディングエントリを除去し、新しいＣｏＡのみをＷＴＲＵ１０５に関して維持することができる。ＨＡ１３０は、ＭＩＰ Register Rspメッセージ２８２を送ることにより、ＦＡ２１０に応答することができる。ネットワークＢ中のＦＡ２１０は、ＭＩＰ Register Rspメッセージ２８４をＷＴＲＵ１０５に送ることができる。ＷＴＲＵ１０５は、Handover Completedメッセージ２８６をＭＩＨサーバ２３７に送ることができる。ＨＡ１３０は、新しいＣｏＡを使用して、ネットワークＢを介してデータをＷＴＲＵに転送することができる（２８８）。
【００３０】
図３Ａおよび３Ｂは、ＭＩＨハンドオーバの別の方法３００の図である。図２Ａおよび２Ｂの方法と比較して、図３Ａおよび３Ｂの方法は、ＭＩＩＳの使用を含まない。加えて、図３Ａおよび３Ｂの方法は、以下のようにして図２Ａおよび２Ｂの方法と異なる。すなわち、LinkGoingDownメッセージ中でＷＴＲＵの位置の指示およびターゲットネットワークの指示を送ることができること、ハンドオーバをトリガする決定がなされたときにのみAgent SolicitationおよびAgent Advertisementメッセージを送ればよいこと、ならびに、GetInformationRspメッセージによる代わりにHandover RequestによってＦＡのＣｏＡをＭＩＨクライアントに転送することができることである。図３Ａおよび３Ｂの方法によってもたらされる効率には、より少ないメッセージでＷＴＲＵとＭＩＨサーバとの間の通信ができること、２つのLinkGoingDownメッセージを送ることができるのでハンドオーバのトリガ前にＭＩＨサーバがＷＴＲＵの位置の更新を受信することができ、その結果、ターゲットＦＡの検出がより効率的になること、ならびに、ハンドオーバをトリガする決定がなされた場合にのみAgent SolicitationおよびAdvertisementメッセージを送ればよいことが含まれる。図３Ａおよび３Ｂの方法の追加の態様は、ＭＩＨサーバがターゲットＣｏＡの獲得を開始すること、ＭＩＨサーバがＨＡおよびターゲットＦＡとのＭＩＰ再登録を開始すること、ならびに、ＷＴＲＵがHandover RequestメッセージによってターゲットＣｏＡを受け取ることを含むことができる。
【００３１】
図３Ａに示すように、ＷＴＲＵ１０５は、ＭＩＨクライアント１１０およびＭＩＰクライアント１１１を含むことができる。ＷＴＲＵ１０５をネットワークＡに登録することができ、バインディングエントリ１１５、１２５が、ＨＡ１３０において、ネットワークＡにおけるＦＡ１２０中に、ＷＴＲＵ１０５に関して存在することができる。ＷＴＲＵ１０５は、そのリンク品質が劣化しつつあることを検出すると（１３５）、LinkGoingDown（低信頼度）メッセージ３３６をＭＩＨサーバに送ることができる。LinkGooingDown（低信頼度）メッセージ３３６は、ＷＴＲＵの位置とターゲットネットワークの識別子とを含むことができる。ＷＴＲＵ１０５は、測定報告３３８をＭＩＨサーバ１３７に送ることができる。ＷＴＲＵ１０５は、ＷＴＲＵの位置とターゲットネットワークの識別子とを含むLinkGoingDown（高信頼度）メッセージ３３９をＭＩＨサーバ１３７に送ることができる。ＭＩＨサーバ１３７は、ハンドオーバを開始することを決定することができる。
【００３２】
ＭＩＨサーバ１３７は、Registration（同時バインディング）メッセージ３４５をＨＡ１３０に送ることができる。ＨＡ１３０は、Agent Solicitationメッセージ３５０を、ネットワークＢ中のターゲットＦＡ３１０に送ることができる。ターゲットＦＡ３１０は、ターゲットＦＡのＣｏＡを含むAgent Advertisementメッセージ３５５を、ＨＡ１３０に送ることができる。このようにしてＨＡ１３０は、ＷＴＲＵ１０５が依然としてネットワークＡ上にある間に、ターゲットＦＡのＣｏＡを得ることができる。ＨＡ１３０は、MIP Registrationメッセージ３６０をターゲットＦＡ３１０に送ることができる。ターゲットＦＡ３１０は、ＭＩＰ Rspメッセージ３６５をＨＡ１３０に送ることができる。ＨＡ１３０は、前のＣｏＡ（Ａ）エントリを維持しながら、ＷＴＲＵに関する新しいＣｏＡ（Ｂ）バインディングエントリを追加することができる。この時点で、ターゲットＦＡ３１０とネットワークＡ上のＦＡ１２０との両方にＭＩＰデータを転送することができる（３７０）。両方のＦＡは、このデータをＷＴＲＵ１０５に転送することができる。ＨＡ１３０は、ターゲットＦＡのＣｏＡを含むことのできるRegistration Rspメッセージ３７５を、ＭＩＨサーバ１３７に送ることができる。ＦＡ３１０は、ＷＴＲＵ１０５がＦＡ３１０とのレイヤ２接続性を確立するまで、パケットをバッファリングすることができる（３８０）。
【００３３】
ＭＩＨサーバ１３７は、Handover Requestメッセージ３８２をＷＴＲＵ１０５に送ることができる。Handover Requestメッセージ３８２は、ターゲットＦＡのＣｏＡを含むことができる。ＷＴＲＵ１０５は、ネットワークＡ上におけるその現在のリンクをダウンさせて（３８４）、接続性の中断を引き起こし、ネットワークＢ上でレイヤ２接続性を確立することができる（３８６）。ハンドオーバの開始前にＭＩＰ登録が実施されたので、レイヤ３接続性を再開することができる。ＦＡ３１０は、バッファリングされたパケットをＷＴＲＵ１０５に転送し（３８８）、バッファリングを停止することができる。ＭＩＨクライアント１１０は、前に受信したＣｏＡを使用してＭＩＰ登録をトリガすることができる。ＭＩＨクライアント１１０は、（ＷＴＲＵ＋ＣｏＡ）を含むＭＩＰ Registerメッセージ３９０を、ネットワークＢ上のＦＡ３１０に送ることができる。ネットワークＢ上のＦＡ３１０は、（ＷＴＲＵ＋ＣｏＡ）を含むＭＩＰ Registerメッセージ３９２を、ＨＡ１３０に送ることができる。ＨＡ１３０は、重複バインディングエントリを除去し、新しいＣｏＡのみをＷＴＲＵ１０５に関して維持することができる。ＨＡ１３０は、ＭＩＰ Register Rspメッセージ３９４を送ることにより、ＦＡ３１０に応答することができる。ネットワークＢ中のＦＡ３１０は、ＭＩＰ Register Rspメッセージ３９６をＷＴＲＵ１０５に送ることができる。ＷＴＲＵ１０５は、Handover Completedメッセージ３９８をＭＩＨサーバ１３７に送ることができる。ＨＡ１３０は、新しいＣｏＡを使用して、ネットワークＢからのデータを転送することができる（３９９）。
【００３４】
図４Ａおよび４Ｂは、プロキシＭＩＰ（ＰＭＩＰ）を使用できる場合の、ＭＩＨハンドオーバの方法４００の図である。この方法ではＰＭＩＰが使用されるので、ＣｏＡをＷＴＲＵに送信することは必要とされなくてよい。図２および図３の方法と比較して、ＭＩＰ事前登録は、ターゲットネットワーク（ネットワークＢ）上でＨＡによって実施することができる。図４Ａおよび４Ｂの方法は、以下のようにして図２Ａ／２Ｂおよび図３Ａ／３Ｂの方法と異なる。すなわち、ＷＴＲＵがターゲットネットワークと接続したときに、ＰＭＩＰがＭＩＰ登録に向けてＦＡをトリガすることができること、前に実施されたＭＩＰ事前登録の結果としてのバインディングエントリがすでにＦＡ上に存在することができるので、ＨＡに送られるＭＩＰ登録に対して同じＣｏＡを使用することができること、および、ＨＡがＭＩＰ登録を受信して既存のバインディングエントリを上書きし、同時バインディングを除去することができ、その結果、ネットワークＡバインディングが失われるものとすることができることである。図４Ａおよび４Ｂの方法の他の態様は、ＭＩＨサーバがターゲットＣｏＡの獲得を開始すること、ＭＩＨサーバがＨＡおよびターゲットＦＡとのＭＩＰ事前登録を開始すること、ならびに、ＷＴＲＵがＭＩＰ登録または事前登録に関係しなくてよいことを含むことができる。
【００３５】
図４Ａに示すように、ＷＴＲＵ１０５は、ＭＩＨクライアント１１０を含むことができ、ネットワークＡ上で登録され得る。バインディングエントリ１１５、１２５が、ネットワークＡ中のＦＡ１２０において、及びＨＡ１３０において、ＷＴＲＵ１０５に関して存在することができる。ＷＴＲＵ１０５は、そのリンク品質が劣化しつつある（１３５）ことを検出すると、LinkGoingDown（低信頼度）メッセージ４３６をＭＩＨサーバ１３７に送ることができる。ＷＴＲＵ１０５は、測定報告４３８をＭＩＨサーバ１３７に送ることができる。ＷＴＲＵ１０５は、LinkGoingDown（高信頼度）メッセージ４３９をＭＩＨサーバに送ることができる。LinkGoingDown（高信頼度）メッセージ４３９は、ＷＴＲＵの位置とターゲットネットワークとを含むことができる。ＭＩＨサーバ１３７は、ハンドオーバを開始することを決定することができる（１４０）。
【００３６】
ＭＩＨサーバ１３７は、Registration（同時バインディング）メッセージ４４５をＨＡ１３０に送ることができる。ＨＡ１３０は、Agent Solicitationメッセージ４５０を、ネットワークＢ中のターゲットＰＭＩＰ／ＦＡ４１０に送ることができる。ターゲットＰＭＩＰ／ＦＡ４１０は、ターゲットＦＡのＣｏＡを含むAgent Advertisementメッセージ４５５を、ＨＡ１３０に送ることができる。このようにしてＨＡ１３０は、ＷＴＲＵ１０５が依然としてネットワークＡ上にある間に、ターゲットＦＡのＣｏＡを得ることができる。ＨＡ１３０は、ＭＩＰ Registrationメッセージ４６０をターゲットＰＭＩＰ／ＦＡ４１０に送ることができる。ターゲットＰＭＩＰ／ＦＡ４１０は、ＭＩＰ Rspメッセージ４６５をＨＡ１３０に送ることができる。ＨＡ１３０は、前のＣｏＡ（Ａ）エントリを維持している間に、ＷＴＲＵに関する新しいＣｏＡ（Ｂ）バインディングエントリを追加することができる。この時点で、ターゲットＰＭＩＰ／ＦＡ４１０とネットワークＡ上のＦＡ１２０との両方にＭＩＰデータを転送することができる（４７０）。両方のＦＡは、このデータをＷＴＲＵ１０５に転送することができる。ＨＡ１３０は、ターゲットＦＡのＣｏＡを含むことのできるRegistration Rspメッセージ４７５を、ＭＩＨサーバ１３７に送ることができる。ＦＡ４１０は、ＷＴＲＵ１０５がＦＡ４１０とのレイヤ２接続性を確立するまで、パケットをバッファリングすることができる（４８０）。
【００３７】
ＭＩＨサーバ１３７は、Handover Requestメッセージ４８２をＷＴＲＵ１０５に送ることができる。Handover Requestメッセージ４８２は、ターゲットＦＡのＣｏＡを含むことができる。ＷＴＲＵ１０５は、ネットワークＡ上におけるその現在のリンクをダウンさせて（４８４）、接続性の中断を引き起こし、ネットワークＢ上でレイヤ２接続性を確立することができる（４８６）。ハンドオーバの開始前にＭＩＰ登録が実施されたので、レイヤ３接続性を再開することができる。ＦＡ４１０は、バッファリングされたパケットをＷＴＲＵ１０５に転送し（４８８）、バッファリングを停止することができる。ＰＭＩＰ／ＦＡ４１０は、ネットワークＢ上のＦＡを介してＭＩＰ登録をトリガすることができる（４９０）。ネットワークＢ上のＦＡは、ＷＴＲＵ１０５に関してバインディングエントリがすでに存在すると判定することができる。ＦＡは、ＭＩＰ登録更新に使用できるのと同じＣｏＡを使用して、（ＷＴＲＵ＋登録済みＣｏＡ）を含むＭＩＰ Registerメッセージ４９２をＨＡ１３０に送ることができる。ＨＡ１３０は、新しいＣｏＡのみを維持することができる。ＨＡ１３０は、ＭＩＰ Register Rspメッセージ４９４をネットワークＢ中のＦＡに送ることができる。ＷＴＲＵ１０５は、Handover Completedメッセージ４９６をＭＩＨサーバ１３７に送ることができる。ＨＡ１３０は、新しいＣｏＡを使用して、対応するピアからのデータをＷＴＲＵに転送することができる（４９８）。
【００３８】
図５Ａおよび５Ｂは、ＭＩＰ事前登録をＭＩＨクライアントによって実施することができる場合の、ＭＩＨハンドオーバの方法５００の図である。ＭＩＨサーバは、このやりとりに関係しなくてよい。加えて、図２Ａ／２Ｂの方法と比較して、ＨＡは、ＦＡとのＭＩＰ登録をトリガする必要はない。図５Ａおよび５Ｂに示すように、ＭＩＨクライアント１１０は、ターゲットＭＩＰの気付アドレス（ＣｏＡ）の獲得を開始することができ、ＭＩＨクライアント１１０は、ＨＡ１３０およびターゲットＦＡ２１０とのＭＩＰ事前登録を開始することができる。
【００３９】
図５Ａに示すように、ＭＩＨクライアント１１０およびＭＩＰクライアント１１１は、ＷＴＲＵ１０５上に存在することができる。ＷＴＲＵ１０５はネットワークＡ上で登録されているものとすることができ、ＭＩＰバインディングエントリ１１５、１２５が、ネットワークＡ上のＦＡ１２０上で、及びＨＡ１３０上で、ＷＴＲＵ１０５に関して存在することができる。
【００４０】
ＷＴＲＵ１０５は、そのリンク品質が劣化しつつある（１３５）ことを検出すると、LinkGoingDown（低信頼度）メッセージ１３６および測定報告１３８をＭＩＨサーバ５３７に送信することができる。次いでＭＩＨクライアント１１０は、GetInformationReqメッセージ２１５をＭＩＩＳ５３８に送ることができる。ＭＩＩＳ５３８は、ＭＩＨサーバ５３７と同じ場所に位置することができる。GetInformationReqメッセージ２１５中で、ＷＴＲＵの場所およびターゲットネットワークを指定することができる。ターゲットネットワークは、例えばＵＭＴＳネットワークとすることができる。ＭＩＩＳ５３８は、ＦＡ２１０の気付アドレス（ＣｏＡ）を得るために、メッセージ２２０をＨＡ１３０に送信することができる。ＨＡ１３０は、ターゲットＦＡのＣｏＡを得るために、Agent Solicitationメッセージ２２５をターゲットＦＡ２１０に送ることができる。ターゲットＦＡ２１０は、ＦＡのＣｏＡを含むことのできるAgent Advertisementメッセージ２３０によって、ＨＡ１３０に応答することができる。ＨＡ１３０は、ＦＡのＣｏＡ２３５をＭＩＩＳ５３８に送信することができ、次いでＭＩＩＳ５３８は、ＦＡのＣｏＡを含むことのできるGetInformationRespメッセージ２４０を、ＭＩＨクライアント１１０に送信することができる。ＣｏＡは、ハンドオーバ中にＷＴＲＵの登録先とすることのできるターゲットアドレスである。
【００４１】
ＭＩＨクライアント１１０は、リンク品質が悪い場合に、LinkGoingDown（高信頼度）メッセージ１３９をＭＩＨサーバ５３７に送信することができる。ＭＩＨサーバ５３７は、ハンドオーバを開始することを決定することができる。ＭＩＨクライアント１１０は、ハンドオーバを実施すべきであってターゲットＣｏＡが知られているときに、ＭＩＰクライアント１１１をトリガすることができる。ターゲットＣｏＡは、図７で述べるような代替方法を使用して得ることもできる。現在のリンク（ネットワークＡ）を使用すると、ターゲットネットワーク上のＦＡに向けられたＭＩＰ事前登録を搬送することができる。これは、（ＷＴＲＵ＋ＣｏＡ（Ｂ）＋同時バインディング）を含むＭＩＰ Registerメッセージ５４０をターゲットＦＡ２１０に送ることによって実施することができる。次いでＦＡ２１０は、（ＷＴＲＵ＋ＣｏＡ（Ｂ）＋同時バインディング）を含むＭＩＰ Registerメッセージ５４５を、ＨＡ１３０に送ることができる。これに応答して、ＨＡ１３０は、前のＣｏＡ（Ａ）エントリを維持しながら、ＷＴＲＵに関する新しいＣｏＡ（Ｂ）バインディングエントリを追加することができ、ＭＩＰ Register Rspメッセージ５５０をターゲットＦＡ２１０に送ることができる。次いでＦＡ２１０は、現在のリンク（ネットワークＡ）を介してＭＩＰ Register Rspメッセージ５５５をＭＩＨクライアント１１０に送ることができる。ターゲットＦＡ２１０は、ＷＴＲＵ１０５がターゲットネットワーク上で検出されるまで、ＷＴＲＵ１０５に向けられたパケットをバッファリングすることができる。
【００４２】
ＷＴＲＵ１０５は、ネットワークＡ上におけるその現在のリンクをダウンさせ（５７０）、ネットワークＢに接続するためのモデムをオンにすることができる。ここで接続性が中断するものとすることができる。次いでＷＴＲＵ１０５は、ネットワークＢ上でレイヤ２接続性を確立することができる（５７５）。ハンドオーバの開始前にＭＩＰ登録が実施されたので、レイヤ３接続性を再開することができる。ＦＡ２１０は、バッファリングしていたパケットをＷＴＲＵ１０５に転送し（５７７）、バッファリングを停止することができる。ＭＩＨクライアント１１０は、前に受信したＣｏＡを使用してＭＩＰ登録をトリガすることができる。ＭＩＨクライアント１１０は、（ＷＴＲＵ＋ＣｏＡ）を含むＭＩＰ Registerメッセージ５７９を、ネットワークＢ上のＦＡ２１０に送ることができる。ネットワークＢ上のＦＡ２１０は、（ＷＴＲＵ＋ＣｏＡ）を含むＭＩＰ Registerメッセージ５８０を、ＨＡ１３０に送ることができる。ＨＡ１３０は、重複バインディングエントリを除去し、新しいＣｏＡのみをＷＴＲＵ１０５に関して維持することができる。ＨＡ１３０は、ＭＩＰ Register Rspメッセージ５８２を送ることによりＦＡ２１０に応答することができる。ネットワークＢ中のＦＡ２１０は、ＭＩＰ Register Rspメッセージ５８４をＷＴＲＵ１０５に送ることができる。ＷＴＲＵ１０５は、Handover Completedメッセージ５８６をＭＩＨサーバ５３７に送ることができる。ＨＡ１３０は、新しいＣｏＡを使用して、ネットワークＢからのデータを転送することができる（５８８）。
【００４３】
図６Ａおよび６Ｂは、ＰＭＩＰをＭＩＨクライアントによってトリガすることができる場合の、ＭＩＨハンドオーバの方法６００の図である。この方法ではＰＭＩＰが使用されるので、ＷＴＲＵ上にＭＩＰクライアントは必要とされなくてよい。
【００４４】
図６Ａに示すように、ＷＴＲＵ１０５は、ＭＩＨクライアント１１０を備えることができ、ネットワークＡ上で登録され得る。バインディングエントリ１１５、１２５が、ネットワークＡ上のＦＡ１２０において、及びＨＡ１３０において、ＷＴＲＵ１０５に関して存在することができる。ＷＴＲＵ１０５は、そのリンク品質が劣化しつつある（１３５）ことを検出すると、LinkGoingDown（低信頼度）メッセージ６３６をＭＩＨサーバ６３７に送ることができる。ＷＴＲＵ１０５は、測定報告６３８をＭＩＨサーバ６３７に送ることができる。ＷＴＲＵ１０５は、LinkGoingDown（高信頼度）メッセージ６３９をＭＩＨサーバ６３７に送ることができる。LinkGoingDown（高信頼度）メッセージ６３９は、ＷＴＲＵの位置とターゲットネットワークとを含むことができる。
【００４５】
ＭＩＨクライアント１１０は、ＭＩＨ情報サービス、例えばＭＩＨサーバ６３７からのPush_informationまたはＭＩＨクライアント１１０からのGet_informationを使用して、ターゲットＰＭＩＰ／ＦＡのＩＰアドレスを得ることができる（６４０）。ＭＩＨクライアント１１０は、ターゲットＣｏＡを得ることができ、Agent Solicitationメッセージ６４２を送ることによって、ターゲットＰＭＩＰ／ＦＡ６１０およびＨＡ１３０とのＭＩＰ事前登録をトリガすることができる。これに応答して、ＰＭＩＰ／ＦＡ６１０は、Agent Advertisement ＣｏＡ６４４を送ることができる。次いでＭＩＨクライアント１１０は、選択されたＣｏＡを含む修正Agent Solicitationメッセージ６４６をＰＭＩＰ／ＦＡ６１０に送ることによって、ターゲットネットワークＢ上でのＭＩＰ事前登録をトリガすることができる。ＨＡ１３０におけるＭＩＰ事前登録は、ターゲットＰＭＩＰ／ＦＡ６１０により、ＭＩＰ Registrationメッセージ６４８をＨＡ１３０に送ることによって実施され得る。これは、ＨＡ１３０において同時バインディングを保持し、ＷＴＲＵ１０５がターゲットネットワークに帰属されるまでパケットをターゲットネットワーク上でバッファリングすることによって、実施され、次いでＨＡ１３０は、これに応答して、ＭＩＰ Rspメッセージ６５０をＰＭＩＰ／ＦＡ６１０に送ることができる。次いでＰＭＩＰ／ＦＡ６１０は、Agent Advertisementメッセージ６５２をＭＩＨクライアント１１０に送ることができる。ＭＩＰ事前登録が必要であることを指定するようにAgent Solicitationメッセージ６４６およびAgent Advertisementメッセージ６５２を修正すると、これらのメッセージを、ユニキャストＩＰアドレスを使用して交換することができる。これらのメッセージをターゲットネットワークＢ上のＰＭＩＰ／ＦＡ６１０に送るＷＴＲＵ１０５は、依然としてネットワークＡに接続されていてよいことに留意されたい。ＰＭＩＰ／ＦＡ６１０がパケットをバッファリングする（６５６）間、ＨＡ１３０は、ネットワークＡおよびネットワークＢ上のＦＡ１２０、６１０に同時にデータを転送することができる（６５４）。
【００４６】
次いでＭＩＨサーバ６３７は、handover requestメッセージ６６５を送ることによってハンドオーバを開始することを決定するができる（６６０）。ＷＴＲＵ１０５は、ネットワークＡ上におけるその現在のリンクをダウンさせて（６８４）、接続性の中断を引き起こし、ネットワークＢ上でレイヤ２接続性を確立することができる（６８６）。ハンドオーバの開始前にＭＩＰ登録が実施されたので、レイヤ３接続性を再開することができる。ＰＭＩＰ／ＦＡ６１０は、バッファリングされたパケットをＷＴＲＵ１０５に転送し（６８８）、バッファリングを停止することができる。ＰＭＩＰ／ＦＡ６１０は、ネットワークＢ上でのＭＩＰ登録をトリガすることができる（６９０）。ネットワークＢ上のＰＭＩＰ／ＦＡ６１０は、ＷＴＲＵ１０５に関してバインディングエントリがすでに存在すると判定することができる。ＰＭＩＰ／ＦＡ６１０は、ＭＩＰ登録更新に使用されたのと同じＣｏＡを使用して、（ＷＴＲＵ＋登録済みＣｏＡ）を含むＭＩＰ Registerメッセージ６９２をＨＡ１３０に送ることができる。ＨＡ１３０は、新しいＣｏＡのみを維持することができる。ＨＡ１３０は、ＭＩＰ Register Rspメッセージ６９４をネットワークＢ中のＰＭＩＰ／ＦＡ６１０に送ることができる。ＷＴＲＵ１０５は、Handover Completedメッセージ６９６をＭＩＨサーバ６３７に送ることができる。ＨＡ１３０は、新しいＣｏＡを使用して、対応するピアからのデータをＷＴＲＵに転送することができる（６９８）。
【００４７】
以上の方法で述べたように、Agent SolicitationおよびAgent AdvertisementメッセージをターゲットＦＡと交換することを介して、ターゲットＣｏＡを獲得することができる。Agent Solicitationは、図２から５に示すように、ＨＡによって送ることができる。一代替形態では、図６に示すように、ＨＡの代わりにＭＩＨクライアントがAgent Solicitationメッセージを送ることができる。別の代替形態は、図７に示すように、ＭＩＨサーバがAgent Solicitationメッセージを送るものとすることができる。
【００４８】
図７に示すように、ＭＩＨサーバ７３７は、Agent Solicitationメッセージ７５０を送ることによって、ターゲットＣｏＡの獲得を開始することができる。次いで、GetInformationRspメッセージ７５５を使用して、ターゲットＣｏＡをＭＩＨクライアント１１０に転送することができる。図７に示すターゲットＣｏＡ獲得の代替形態は、図２〜６に示した方法を含めた他の方法にも適用することができる。
【００４９】
図８は、Ｅ−ＵＴＲＡＮ（Evolved-Universal Terrestrial Radio Access Network）８０５を含む例示的なワイヤレス通信システム／アクセスネットワーク８００の図である。Ｅ−ＵＴＲＡＮ８０５は、ＷＴＲＵ８１０およびいくつかの進化型ノードＢ（ｅＮＢ）８２０を含むことができる。ＷＴＲＵ８１０は、ｅＮＢ８２０と通信することができる。ｅＮＢ８２０は、Ｘ２インタフェースを使用して相互とインタフェースすることができる。各ｅＮＢ８２０は、Ｓ１インタフェースを通して、モビリティ管理エンティティ（ＭＭＥ）／サービングゲートウェイ（Ｓ−ＧＷ）８３０とインタフェース接続することができる。ＭＩＨサーバ８３５が、ＭＭＥ／Ｓ−ＧＷ８３０と通信することができる。図８には単一のＷＴＲＵ８１０および３つのｅＮＢ８２０が示されているが、ワイヤレスおよび有線デバイスの任意の組合せはワイヤレス通信システムアクセスネットワーク８００に含まれてよいことは明らかなはずである。
【００５０】
図９は、ＷＴＲＵ９１０、ｅＮＢ９２０、およびＭＭＥ／Ｓ−ＧＷ９３０を含む、例示的なワイヤレス通信システム９００のブロック図である。図９に示すように、ＷＴＲＵ９１０、ｅＮＢ９２０、およびＭＭＥ／Ｓ−ＧＷ９３０は、上に提供した例に従ってＢＢＭ  ＭＩＨを実施するように構成することができる。
【００５１】
ＷＴＲＵ９１０は、通常のＷＴＲＵ中に見ることのできるコンポーネントに加えて、オプションのリンクメモリ９２２を伴うプロセッサ９１６と、少なくとも１つの送受信機９１４と、オプションのバッテリ９２０と、アンテナ９１８とを備えることができる。プロセッサ９１６は、上に提供した例に従ってブレークビフォアメーク媒体独立ハンドオーバを実施するように構成することができる。送受信機９１４は、プロセッサ９１６およびアンテナ９１８と通信して、ワイヤレス通信の送受信を容易にすることができる。バッテリ９２０をＷＴＲＵ９１０中で使用すると、送受信機９１４およびプロセッサ３１６に電力を供給することができる。
【００５２】
ｅＮＢ９２０は、通常のｅＮＢ中に見ることのできるコンポーネントに加えて、オプションのリンクメモリ９１５を伴うプロセッサ９１７と、送受信機９１９と、アンテナ９２１とを含むことができる。プロセッサ９１７は、上に提供した例に従ってブレークビフォアメーク媒体独立ハンドオーバを実施するように構成することができる。送受信機９１９は、プロセッサ９１７およびアンテナ９２１と通信すると、ワイヤレス通信の送受信を容易にすることができる。ｅＮＢ９２０は、移動性管理エンティティ／サービングゲートウェイ（ＭＭＥ／Ｓ−ＧＷ）９３０に接続することができ、ＭＭＥ／Ｓ−ＧＷ９３０は、オプションのリンクメモリ９３４を伴うプロセッサ９３３を含むことができる。
【００５３】
前述のGetInformationメッセージを使用すると、ＷＴＲＵの位置と、ターゲットネットワークの指示と、ターゲットＦＡのＣｏＡの指示とを搬送することができる。加えて、LinkGoingDownメッセージが、ＷＴＲＵの位置の指示を含むことができる。さらに、Handover Requestメッセージが、ターゲットＦＡのＣｏＡを含むことができる。
【００５４】
前述の例では、ＭＩＨサーバが、ＨＡ中における、ＷＴＲＵに関する新しい同時バインディングエントリの生成を要求することができる。これらの方法は、ＭＩＰ事前登録中にＷＴＲＵを登録するための、ＨＡからＦＡへの新しいメッセージを含むことができる。加えて、Router Solicitationメッセージが、Mobility Agentエクステンションを含むことができる。Router Solicitationメッセージは、Mobility Agent Advertisementエクステンションを含むことができる。ＨＡは、ＨビットがセットされたAgent SolicitationをＦＡに送って、ＨＡがメッセージの発信元であることを示すことができる。ＨビットがセットされたAgent SolicitationをＦＡが受信すると、ＦＡは、ＨＡにユニキャストされるAgent Advertisement（ＣｏＡを含む）によって応答することができる。
【００５５】
ＷＴＲＵの代わりにＨＡが、ＭＩＰ registrationをターゲットＦＡに送ることができる。このような場合、ライフタイムは０に等しくないものとすることができる。ソースＩＰアドレスが、メッセージに含まれるＨＡ  ＩＰアドレスと同じである場合、ＦＡは、ＨＡに応答を送ることができる。このような場合、ＦＡが登録要求をＨＡに転送することは必要とされなくてよい。
【００５６】
ＷＴＲＵに向けられたデータは、ターゲットネットワーク上でレイヤ２接続が確立されればすぐにターゲットＩＰアドレスにトンネリングすることができ、したがって中断時間が短縮される。これらの方法および装置は、ＭＩＨを利用して、ターゲットＦＡにおける技術間ＭＩＰ再登録を容易にすることができる。ＷＴＲＵの代わりにＭＩＨサーバがＭＩＰ事前登録をトリガするのを可能にすることにより、ネットワークは、ＷＴＲＵ動作を制御することができる。これらの方法および装置は、ハンドオーバがリンク品質以外の基準に基づいてトリガされるコンテキストにも適用可能とすることができる。例えばこれらの方法および装置は、リンク品質が許容可能であっても負荷平衡の達成のためにＭＩＨサーバがハンドオーバをトリガする場合に、適用可能とすることができる。
【００５７】
ハンドオーバ中にＨＡにおいて同時バインディングが使用されるとき、ＨＡから両方のＦＡにデータを送ることができる。同時バインディングが使用されるとき、現在のＦＡとターゲットＦＡとにおいてデータをバッファリングする必要はなくて済む。また、データをバッファリングするためのメモリを予約する必要も、現在のＦＡとターゲットＦＡとの間でデータをトンネリングする必要もなくて済む。
【００５８】
前述の例におけるターゲットＣｏＡの獲得は、ＷＴＲＵにとってトランスペアレントとすることができる。加えて、ターゲットネットワークにおけるＭＩＰ再登録もＷＴＲＵにとってトランスペアレントとすることができ、追加のネットワークノードは必要とされなくてよい。
【００５９】
以上の方法を８０２．２１およびＭＩＨサーバに関して述べているが、これらの方法はまた、ヘテロジニアスアクセス技術ハンドオーバをサポートする任意の技術を使用して適用され得る。例えば、他の移動性技術における他のタイプのデバイスの中でもとりわけ、ＡＮＤＳＦサーバを、前述の方法を使用して実装することができる。
【００６０】
実施形態
１．ＷＴＲＵにおいて使用される方法であって、
ＷＴＲＵにサービスするソースネットワーク中のＦＡからＨＡを介してデータを受信することと、
第１のメッセージをＭＩＩＳに送信することと、
第２のメッセージを前記ＭＩＩＳから受信することと、
前記ターゲットネットワーク上で接続性を確立することと、
前記ターゲットＦＡからデータを受信することと
を含む方法。
【００６１】
２．前記第１のメッセージはGetInformationRequestメッセージである、実施形態１の方法。
【００６２】
３．前記第１のメッセージは前記ＷＴＲＵの位置の指示を含む、前記実施形態のいずれか１つにおける方法。
【００６３】
４．前記第１のメッセージはターゲットネットワークの指示を含む、前記実施形態のいずれか１つにおける方法。
【００６４】
５．前記第２のメッセージはGetInformationResponseメッセージである、前記実施形態のいずれか１つにおける方法。
【００６５】
６．前記第２のメッセージはターゲットＦＡのＣｏＡの指示を含む、前記実施形態のいずれか１つにおける方法。
【００６６】
７．第３のメッセージを前記ターゲットＦＡに送信することと、
第４のメッセージを前記ターゲットＦＡから受信することと、
第５のメッセージをＭＩＨサーバに送信することと、
前記ターゲットネットワークから前記ＨＡを介してデータを受信することと
をさらに含む、前記実施形態のいずれか１つにおける方法。
【００６７】
８．前記第３のメッセージはＭＩＰ Registrationメッセージである、実施形態７の方法。
【００６８】
９．前記第３のメッセージは前記ターゲットＦＡの前記ＣｏＡを含む、実施形態７または８の方法。
【００６９】
１０．前記第４のメッセージはＭＩＰ Registration Responseメッセージである、実施形態７〜９のいずれか１つにおける方法。
【００７０】
１１．前記第５のメッセージはHandover Completeメッセージである、実施形態７〜１０のいずれか１つにおける方法。
【００７１】
１２．ＭＩＰ  ＦＡにおいて使用される方法であって、
第１のメッセージをＨＡから受信することと、
第２のメッセージを前記ＨＡに送信することと、
第３のメッセージを前記ＨＡから受信することと、
第４のメッセージを前記ＨＡに送信することと、
前記ＨＡから前記ＷＴＲＵにデータを転送することと
を含む方法。
【００７２】
１３．前記第１のメッセージはAgent Solicitationメッセージである、実施形態１２の方法。
【００７３】
１４．前記第２のメッセージはAgent Advertisementメッセージである、実施形態１２または１３の方法。
【００７４】
１５．前記第３のメッセージはMIP Registrationメッセージである、実施形態１２〜１４のいずれか１つにおける方法。
【００７５】
１６．前記第３のメッセージは、登録されることになるＷＴＲＵを示す、実施形態１２〜１５のいずれか１つにおける方法。
【００７６】
１７．前記第４のメッセージはＭＩＰ Registration Responseメッセージである、実施形態１２〜１６のいずれか１つにおける方法。
【００７７】
１８．第５のメッセージを前記ＨＡに送信することと、
第６のメッセージを前記ＨＡから受信することと
をさらに含む、実施形態１２〜１７のいずれか１つにおける方法。
【００７８】
１９．前記第５のメッセージはＭＩＰ Registrationメッセージである、実施形態１８の方法。
【００７９】
２０．前記第６のメッセージはＭＩＰ Registration Responseメッセージである、実施形態１８または１９の方法。
【００８０】
２１．前記第４のメッセージはＦＡのＣｏＡの指示を含む、実施形態１２〜２０のいずれか１つにおける方法。
【００８１】
２２．前記第６のメッセージは前記ＦＡの前記ＣｏＡの指示を含む、実施形態１８〜２１のいずれか１つにおける方法。
【００８２】
２３．前記第２のメッセージは前記ＦＡの前記ＣｏＡの指示を含む、実施形態１２〜２２のいずれか１つにおける方法。
【００８３】
２４．ＭＩＨサーバにおいて使用される方法であって、
第１のメッセージをＭＩＰ  ＨＡに送信することと、
第２のメッセージを前記ＨＡから受信することと
を含む方法。
【００８４】
２５．前記第１のメッセージはRegistratonメッセージである、実施形態２４の方法。
【００８５】
２６．前記第１のメッセージはＷＴＲＵに関するＭＩＰバインディングを示す、実施形態２４または２５の方法。
【００８６】
２７．前記ＭＩＰバインディングは二重ＭＩＰバインディングである、実施形態２６の方法。
【００８７】
２８．前記第２のメッセージはRegistration Responseメッセージである、実施形態２４〜２７のいずれか１つにおける方法。
【００８８】
２９．前記ＷＴＲＵのハンドオーバを開始する決定を実施することと、
第３のメッセージを前記ＷＴＲＵに送信することと
をさらに含む、実施形態２４〜２８のいずれか１つにおける方法。
【００８９】
３０．前記第３のメッセージはHandover Requestである、実施形態２９の方法。
【００９０】
３１．第４のメッセージを前記ＷＴＲＵから受信することをさらに含む、実施形態２９または３０の方法。
【００９１】
３２．前記第４のメッセージはHandover Completedメッセージである、実施形態３１の方法。
【００９２】
３３．第１のLinkGoingDownメッセージと、測定報告と、第２のLinkGoingDownメッセージとを前記ＷＴＲＵから受信することをさらに含み、第１のLinkGoingDownメッセージおよび第２のLinkGoingDownメッセージは前記ＷＴＲＵの位置とターゲットネットワークとを示す、実施形態２４〜３２のいずれか１つにおける方法。
【００９３】
３４．ＭＩＩＳにおいて使用される方法であって、
第１のメッセージをＷＴＲＵから受信することと、
ＦＡの前記ＣｏＡを得るために第２のメッセージをＨＡに送信することと
を含む方法。
【００９４】
３５．前記第３のメッセージを前記ＨＡから受信することと、
第４のメッセージを前記ＷＴＲＵに送信することと
をさらに含む、実施形態３４の方法。
【００９５】
３６．前記第１のメッセージはGetInformationRequestメッセージである、実施形態３４または３５の方法。
【００９６】
３７．前記第２のメッセージはＣｏＡ Requestメッセージである、実施形態３４〜３６のいずれか１つにおける方法。
【００９７】
３８．前記第３のメッセージはResponseメッセージである、実施形態３５〜３７のいずれか１つにおける方法。
【００９８】
３９．前記第３のメッセージは前記ターゲットＦＡの前記ＣｏＡの指示を含む、実施形態３５〜３８のいずれか１つにおける方法。
【００９９】
４０．第４のメッセージはGetInformationResponseメッセージである、実施形態３５〜３９のいずれか１つにおける方法。
【０１００】
４１．第４のメッセージはターゲットＦＡのＣｏＡの指示を含む、実施形態３５〜４０のいずれか１つにおける方法。
【０１０１】
４２．ＭＩＰ  ＨＡにおいて使用される方法であって、
ＦＡのＣｏＡを得るための前記ｏＡ RequestメッセージをＭＩＩＳから受信することと、
Responseメッセージを前記ＭＩＩＳに送信することと
を含み、
前記Responseメッセージは前記ターゲットＦＡの前記ＣｏＡの指示を含む方法。
【０１０２】
４３．ＨＡにおいて使用される方法であって、
RegistrationメッセージをＭＩＨサーバから受信することであって、前記RegistrationメッセージはＷＴＲＵに関する二重ＭＩＰバインディングを示すことと、
ＷＴＲＵに関する２つのバインディングを示す、ＷＴＲＵに関するＭＩＰバインディングを生成または更新することと
を含む方法。
【０１０３】
４４．Registration Responseメッセージを前記ＭＩＨサーバに送信することをさらに含む、実施形態４３の方法。
【０１０４】
４５．ＭＩＰ Registrationメッセージをターゲットフォーリンエージェント（ＦＡ）に送ることと、
ＭＩＰ ResponseをターゲットＦＡから受信することと
をさらに含む、実施形態４２〜４４のいずれか１つの方法。
【０１０５】
４６．Agent Solicitationメッセージを前記ターゲットＦＡに送ることと、
Agent Advertisementメッセージを前記ターゲットＦＡから受信することと
をさらに含む、実施形態４２〜４５のいずれか１つの方法。
【０１０６】
４７．前記Agent Advertisementメッセージは前記ターゲットＦＡのＣｏＡを含む、実施形態４６の方法。
【０１０７】
４８．前記ターゲットＦＡのＣｏＡを使用して前記ＷＴＲＵにデータを転送することをさらに含む、実施形態４２〜４７のいずれか１つの方法。
【０１０８】
４９．実施形態１〜４８のいずれか１つにおける方法を実施するように構成されたワイヤレスシステム。
【０１０９】
５０．実施形態１〜４８のいずれか１つにおける方法を実施するように構成されたＷＴＲＵ。
【０１１０】
５１．前記ＷＴＲＵは、マルチモードＷＴＲＵである、実施形態５０のＷＴＲＵ。
【０１１１】
５２．前記ＷＴＲＵは、ＩＥＥＥ  ＷＬＡＮ  ８０２．１１ｘ、ＣＤＭＡ２０００、ＵＭＴＳ、ＷＣＤＭＡ、ＷｉＭＡＸ（商標）、ＧＳＭ、ＷｉＢｒｏ、およびＬＴＥのうちの少なくとも１つをサポートする、実施形態５０〜５１のいずれか１つのＷＴＲＵ。
【０１１２】
５３．ＭＩＨクライアントを含む、実施形態５０〜５２のいずれか１つのＷＴＲＵ。
【０１１３】
５４．実施形態１〜４８のいずれか１つにおける方法を実施するように構成されたネットワークノード。
【０１１４】
５５．実施形態１〜４８のいずれか１つにおける方法を実施するように構成された集積回路。
【０１１５】
特徴および要素を特定の組合せで上述しているが、各特徴または要素は、他の特徴および要素なしで単独で使用することもでき、あるいは他の特徴および要素と共にまたはそれらなしで、様々な組合せで使用することもできる。本明細書に提供した方法またはフローチャートは、汎用コンピュータまたはプロセッサによって実行されるようにコンピュータ読み取り可能な記憶媒体に組み込まれた、コンピュータプログラム、ソフトウェア、またはファームウェアにおいて実装することができる。コンピュータ読み取り可能な記憶媒体の例には、ＲＯＭ、ＲＡＭ、レジスタ、キャッシュメモリ、半導体メモリデバイス、内部ハードディスクや取外し可能ディスクなどの磁気媒体、光磁気媒体、および、ＣＤ−ＲＯＭディスクやＤＶＤなどの光学媒体が含まれる。
【０１１６】
適切なプロセッサには、例として、汎用プロセッサ、専用プロセッサ、従来型プロセッサ、ＤＳＰ、複数のマイクロプロセッサ、ＤＳＰコアに関連する１又は複数のマイクロプロセッサ、コントローラ、マイクロコントローラ、ＡＳＩＣ、ＦＰＧＡ回路、任意の他のタイプのＩＣ、および／またはステートマシンが含まれる。
【０１１７】
ソフトウェアに関連するプロセッサを使用すると、ＷＴＲＵ、ＵＥ、端末、基地局、無線ネットワークコントローラ（ＲＮＣ）、または任意のホストコンピュータにおいて使用される、無線周波数送受信機を実装することができる。ＷＴＲＵは、カメラ、ビデオカメラモジュール、ビデオホン、スピーカホン、振動デバイス、スピーカ、マイクロホン、テレビジョン送受信機、ハンズフリーヘッドセット、キーボード、Bluetooth（登録商標）モジュール、ＦＭ無線ユニット、ＬＣＤディスプレイユニット、ＯＬＥＤディスプレイユニット、ディジタル音楽プレーヤ、メディアプレーヤ、ビデオゲームプレーヤモジュール、インターネットブラウザ、および／または任意のＷＬＡＮもしくはＵＷＢモジュールなど、ハードウェアおよび／またはソフトウェアにおいて実装されるモジュールと共に使用することができる。
【図１】
0005416214.tif 000002
【図２Ａ】
0005416214.tif 000003
【図２Ｂ】
0005416214.tif 000004
【図３Ａ】
0005416214.tif 000005
【図３Ｂ】
0005416214.tif 000006
【図４Ａ】
0005416214.tif 000007
【図４Ｂ】
0005416214.tif 000008
【図５Ａ】
0005416214.tif 000009
【図５Ｂ】
0005416214.tif 000010
【図６Ａ】
0005416214.tif 000011
【図６Ｂ】
0005416214.tif 000012
【図７】
0005416214.tif 000013
【図８】
0005416214.tif 000014
【図９】
0005416214.tif 000015